(57)【特許請求の範囲】
【請求項１】
釘打ち機のトリガレバーの前面からノーズに至り、バネに付勢されてノーズよりも釘の射出方向へ突出したスライド式のコンタクトアームであって、トリガレバー側の上部コンタクトアームとノーズ側の下部コンタクトアームとに二分割され、上部コンタクトアームの下端部にネジ軸を固定し、下部コンタクトアームの上端部に調節ナットを回転自在に枢着し、調節ナットとネジ軸を螺合させて、全長を調節可能に形成した釘打ち機のコンタクトアームにおいて、
下部コンタクトアーム（１７）の調節ナット（２０）の上部に円筒形のスリーブ部（２７）を形成し、上部コンタクトアーム（１８）のネジ軸（１９）の基部に、調節ナットのスリーブ部と嵌合して摺動対偶をなす円柱部（２４）を設け、コンタクトアームの長さ調節範囲の全域において、調節ナットのスリーブ部（２７）とネジ軸の円柱部（２４）とが嵌合していることを特徴とする釘打ち機のコンタクトアーム。
【発明の詳細な説明】
【０００１】
【発明の属する技術分野】
この発明は、釘打ち機のコンタクトアームに関するものであり、特に、落下時等の衝撃による破損を防止した釘打ち機のコンタクトアームに関するものである。
【０００２】
【従来の技術】
釘打ち機（ステープル打ち機を含む）には、トリガ機構と釘の打込み深さの調節機構を兼ねるコンタクトアームが設けられている。コンタクトアームは釘の射出方向へスライド自在であり、バネによって射出方向へ付勢されて、先端部は釘打ち機のノーズの先端面よりも先に突出しており、他端はトリガレバーに枢着したフリーアームの前面に対向している。
【０００３】
コンタクトアームの先端を釘打ち対象物に押しつけて突出方向と逆へ押込むことによって、コンタクトアームの他端がフリーアームを押してトリガバルブのステムの方向へ回動し、この状態でトリガレバーを引くと、フリーアームが待機位置から全体的にトリガバルブに向かって平行移動することになり、フリーアームがトリガバルブのステムを押して釘打ち機が起動する。また、上記とは逆に、先にトリガレバーを引いてからコンタクトアームを釘打ち対象物に押しつけても、上記と同様に釘打ち機が起動する。
【０００４】
コンタクトアームは、釘打ち機のノーズの周囲に配置された下部コンタクトアームと、トリガバルブ側の上部コンタクトアームとに二分割されており、下部コンタクトアームと上部コンタクトアームはネジ軸と調節ナットによる長さ調節機構によって連結されている。
【０００５】
図３はコンタクトアーム１の長さ調節機構を示し、２は下部コンタクトアーム、３は上部コンタクトアームである。上部コンタクトアーム３の下端部にはネジ軸４が固定され、下部コンタクトアーム２の上端に調節ナット５が回転自在に取付けられており、ネジ軸４に螺合している調節ナット４を指で回転させれば、その回転方向に応じて上部コンタクトアーム３が上下に移動してコンタクトアーム１の全長が変化する。これにより、コンタクトアーム１を釘打ち対象物に押しつけたときのスライドストロークが変化して釘の打込み深さを調節することができる。
【０００６】
【発明が解決しようとする課題】
従来の釘打ち機を取落としてコンタクトアームの先端を床面に衝突させたり、コンタクトアームを固い壁面に激突させた場合は、コンタクトアームに過大な曲げ応力が加わって、下部コンタクトアーム２と上部コンタクトアーム３を連結しているネジ軸４が折損することがある。
【０００７】
そこで、落下時等の衝撃によるコンタクトアームの破損を防止するために解決すべき技術的課題が生じてくるのであり、本発明は上記課題を解決することを目的とする。
【０００８】
【課題を解決するための手段】
この発明は、上記目的を達成するために提案するものであり、釘打ち機のトリガレバーの前面からノーズに至り、バネに付勢されてノーズよりも釘の射出方向へ突出したスライド式のコンタクトアームであって、トリガレバー側の上部コンタクトアームとノーズ側の下部コンタクトアームとに二分割され、上部コンタクトアームの下端部にネジ軸を固定し、下部コンタクトアームの上端部に調節ナットを回転自在に枢着し、調節ナットとネジ軸を螺合させて、全長を調節可能に形成した釘打ち機のコンタクトアームにおいて、
下部コンタクトアームの調節ナットの上部に円筒形のスリーブ部を形成し、上部コンタクトアームのネジ軸の基部に、調節ナットのスリーブ部と嵌合して摺動対偶をなす円柱部を設け、コンタクトアームの長さ調節範囲の全域において、調節ナットのスリーブ部とネジ軸の円柱部とが嵌合していることを特徴とする釘打ち機のコンタクトアームを提供するものである。
【０００９】
【発明の実施の形態】
以下、この発明の実施の一形態を図に従って詳述する。図１は釘打ち機１１を示し、シリンダハウジング１２から横方向へ延びるグリップ１３が設けられていて、シリンダハウジング１２の先端（図１において下）にはノーズ１４が取付けられている。ノーズ１４の背面（図１において左）には釘マガジン１５が取付けられており、釘マガジン１５に装填された連結形釘は、釘マガジン１５のバネ式プッシャー（図示せず）によってノーズ１４の方向へ押されてノーズ１４の中心孔内へ供給される。
【００１０】
シリンダハウジング１２内には空気圧シリンダ（図示せず）が内蔵されており、空気圧シリンダのピストンに結合したロッド状のドライバ（図示せず）がノーズ１４の中心孔内を下降してノーズ１４内の釘を射出する。
【００１１】
コンタクトアーム１６は、ノーズ１４の先端部を包囲する円筒形の下部コンタクトアーム１７と、下部コンタクトアーム１７の上端に連結した上部コンタクトアーム１８とに二分割されていて、ネジ軸１９と調節ナット２０によって連結されている。
【００１２】
図２に示すように、ネジ軸１９は、下部のオネジ部２１と中間のフランジ部２２と上部のガイドロッド部２３とからなり、上部コンタクトアーム１８の下端部の孔へ上方からオネジ部２１を挿入し、円柱形のロックナット２４をオネジ部２１へ締めこんで上部コンタクトアーム１８へ固定している。ロックナット２４には、レンチを用いて締結できるように上下中間に平行な二面平面部２４ａが成形されている。ネジ軸１９の上部のガイドロッド部２３は、釘打ち機１１のノーズ１４に設けたスライドガイド１４ａに挿入されていて、スライドガイド１４ａとフランジ部２２との間に挿入した圧縮バネ２５によってコンタクトアーム１６全体を下方へ付勢している。
【００１３】
調節ナット２０は、メネジを成形した小径部２６の上部に円筒形のスリーブ部２７を形成した段付き形状であり、大径のスリーブ部２７の外周面にローレット等の滑り止めを加工してある。小径部２６は下部コンタクトアーム１７の上端の孔に挿入されており、小径部２６に抜止めワッシャ２８を嵌着して下部コンタクトアーム１７に回転自在な状態で取付けられている。
【００１４】
調節ナット２０の小径部２６へねじ込まれて下へ突出しているネジ軸１９の先端部にはストッパーリング２９が設けられていて、図２に示すように、調節ナット２０の下面がストッパーリング２９に当たるまで上部コンタクトアーム１８を浮上させることができ、この状態が上部コンタクトアーム１８の最浮上位置であり、コンタクトアーム１６の長さが最大となる。この最浮上位置において、上部コンタクトアーム１８の円柱形ロックナット２４の下部が調節ナット２０のスリーブ部２７に嵌合しており、調節ナット２０を回転して上部コンタクトアーム１８を下降させると、円柱形ロックナット２４がさらに調節ナット２０のスリーブ部２７に嵌入していき、最下降位置では円柱形ロックナット２４はほぼ完全にスリーブ部２７に挿入される。
【００１５】
尚、調節ナット２０のスリーブ部２７の下面には圧縮バネ３０とボール３１とが埋め込まれていて、下部コンタクトアーム１７の上面に放射状に配列した凹部３２とによってクリップストップ機構を構成している。
【００１６】
上述したように、調節ナット２０によるコンタクトアーム１６の長さ調節範囲の全域において、上部コンタクトアーム１８のネジ軸１７に取り付けた円柱形ロックナット２４と調節ナット２０の上面のスリーブ部２７とが嵌合しているので、釘打ち機１１が落下してコンタクトアーム１６の先端が床面に衝突した場合にネジ軸１９に加わる曲げ応力が抑制され、ネジ軸１９の折損を防止することができる。
【００１７】
尚、この発明は上記の実施形態に限定するものではなく、この発明の技術的範囲内において種々の改変が可能であり、この発明がそれらの改変されたものに及ぶことは当然である。
【００１８】
【発明の効果】
以上説明したように、本発明の釘打ち機のコンタクトアームは、上部コンタクトアームと下部コンタクトアームとを連結するネジ軸の基部に円柱部を設け、ネジ軸に螺合する調節ナットのスリーブ部にネジ軸の円柱部を嵌合させているので、落下時等においてネジ軸に直接曲げ応力が加わらず、ネジ軸の折損事故を防止できる。
【図面の簡単な説明】
【図１】本発明の一実施形態を示し、釘打ち機の側面図。
【図２】図１に示すコンタクトアームの連結部分の断面図。
【図３】従来例を示し、コンタクトアームの連結部分の断面図。
【符号の説明】
１１        釘打ち機
１６        コンタクトアーム
１７        下部コンタクトアーム
１８        上部コンタクトアーム
１９        ネジ軸
２０        調節ナット
２１        オネジ部
２２        フランジ部
２３        ガイドロッド部
２４        円柱形ロックナット
２５        圧縮バネ
２６        小径部
２７        スリーブ部
【図１】
0004147719.tif 000002
【図２】
0004147719.tif 000003
【図３】
0004147719.tif 000004